(57)【特許請求の範囲】
【請求項１】
非円形の貫通孔（２３）を有する円盤体（１６）を揺動軸心（Ｃ）廻りに回転自在に保持した第１部材（１）と、上記貫通孔（２３）に軸心方向のいずれからでも差込可能な非円形状軸部（２０）を突設した第２部材（２）とを、備え、上記軸部（２０）を上記貫通孔（２３）に差し込んで上記第１部材（１）と上記第２部材（２）とを相対的揺動可能に枢結し、かつ、上記円盤体（１６）の外周縁部にギア部（４）が形成され、一面側が上記ギア部（４）に噛合可能な歯面（７）とされ他面側が上記第１部材（１）側に形成されたくさび面（８）に当接する当接面（９）とされた浮動くさび部材（６）を備え、上記当接面（９）が上記くさび面（８）に当接すると共に上記歯面（７）と上記ギア部（４）が噛合する噛合状態では、上記第１部材（１）と上記第２部材（２）が相対的に一方向（Ｂ）へ揺動するのを抑制し、かつ、上記第１部材（１）と上記第２部材（２）を相対的に他方向（Ａ）に揺動させてロック解除位置（Ｐ０）とすることにより、上記浮動くさび部材（６）を移動させて上記ギア部（４）から離間させ該ギア部（４）と上記歯面（７）の噛合を解除した退避状態とし、該退避状態下で、上記第１部材（１）と上記第２部材（２）が相対的に一方向（Ｂ）へ揺動可能となるように構成された角度調整金具に於て、
上記第１部材（１）と上記第２部材（２）を上記ロック解除位置（Ｐ０）から相対的に上記一方向（Ｂ）へ揺動させるフリー揺動（Ｍ１）の途中に於て、他方向（Ａ）への所定の小角度（θ）の引返し動作（Ｍ２）によって、上記浮動くさび部材（６）を上記退避状態から上記ギア部（４）との噛合状態に復帰させる復帰手段（１０）を具備したことを特徴とする角度調整金具。
【請求項２】
上記第１部材（１）は、上記円盤体（１６）を挟み込んで保持する一対の対面板部（１３）（１３）を備え、
上記復帰手段（１０）は、上記対面板部（１３）に対して上記所定の小角度（θ）の範囲で回動する環状部材（１２）と、一端（１１ａ）が上記環状部材（１２）に連動連結され中間部を支点として所定の角度範囲で揺動自在であると共に他端（１１ｂ）が上記退避状態の上記浮動くさび部材（６）に押圧可能に配設された揺動部材（１１）と、上記軸部（２０）が嵌着される非円形の嵌着孔（１９）を有し上記軸部（２０）と一体回転すると共に上記環状部材（１２）をアキシャル内方向に弾発付勢しつつ摺接する弾性部（１４）を有する圧接摩擦部材（１５）とを、具備し、
上記退避状態下で、上記第１部材（１）と上記第２部材（２）の一方向（Ｂ）へのフリー揺動（Ｍ１）中は、上記浮動くさび部材（６）は上記退避状態を維持し、かつ、上記他方向（Ａ）への引返し動作（Ｍ２）により、上記環状部材（１２）が上記弾性部（１４）との摩擦力によって上記所定の小角度（θ）だけ回動すると共に上記揺動部材（１１）が上記浮動くさび部材（６）を移動させ上記ギア部（４）と上記歯面（７）を噛合状態とするように構成されている請求項１記載の角度調整金具。
【発明の詳細な説明】
【技術分野】
【０００１】
本発明は、角度調整金具に関する。
【背景技術】
【０００２】
図１３と図１４に示すようなソファーＳに於て、ヘッドレスト４８や肘掛け４９等のレスト部５０をリクライニング可能とする角度調整金具Ｚが使用されている。このソファーＳは、角度調整金具Ｚによって、レスト部５０の一方向Ｂへの揺動を規制して所望の傾斜角度で姿勢を保持し、他方向Ａへはカチカチと音をたてながらレスト部５０が揺動する構造であった。
本発明者は、今までに、レスト部５０の傾斜角度を多段階に保持する角度調整金具を多数提案してきた（例えば、特許文献１参照）。
【先行技術文献】
【特許文献】
【０００３】
【特許文献１】特許第４４１８５１９号公報
【発明の概要】
【発明が解決しようとする課題】
【０００４】
特許文献１記載の角度調整金具は、第１部材と第２部材とを相対的揺動可能に枢結し、浮動くさび部材のくさび作用により第１部材と第２部材の（一方向への）揺動を規制している。第１部材と第２部材を所定のロック解除位置とすることで、浮動くさび部材のくさび作用が無効化され、第１部材と第２部材の（一方向への）フリー揺動が可能となる。一旦、浮動くさび部材のくさび作用を無効化すると、第１部材と第２部材を所定のロック復元位置とするまで、くさび作用（ロック状態）を復元することができなかった。つまり、ロック解除位置からロック復元位置までの揺動途中の中間位置にて、第１部材と第２部材をロック状態として姿勢を保持することができないという欠点があった。
【０００５】
従来、図１３と図１４に示すソファーＳは、ヘッドレスト４８や肘掛け４９を鉛直姿勢（ロック解除位置）まで起立させると、フリー揺動が可能となり、その後、矢印Ｂ方向に傾倒させてヘッドレスト４８や肘掛け４９を水平姿勢（ロック復元位置）とすると、ロック状態が復元する。このロック状態の復元によって、その後、ヘッドレスト４８や肘掛け４９を矢印Ａ方向にしだいに起立させてゆくと所望の傾斜角度にて傾斜姿勢を保持できるように構成されていた。
しかし、ヘッドレスト４８や肘掛け４９に（揺動を規制する矢印Ｂ方向への）過大な荷重が掛けられて、角度調整金具ＺとソファーＳの固定部材との取付箇所にガタつきが生じ、又は、角度調整金具Ｚ自体が塑性変形した場合には、例えば、肘掛け４９がロック復元位置に至る前にベース部４５と干渉（当接）してしまい、ロック状態を復元できなくなる虞れがあった。同様に、ヘッドレスト４８は、背部４６の上端面と干渉（当接）して、ロック状態を復元できなくなる虞れがあった。また、ベース部４５（背部４６の上端面）に障害物が置かれた場合にも、肘掛け４９（ヘッドレスト４８）のロック状態を復元できなくなるという問題があった。
【０００６】
そこで、本発明は、第１部材と第２部材をロック解除位置からフリー揺動する途中の任意の位置で簡単にロック状態を復元し、所望の中間位置から角度調整を行って姿勢を保持し得る角度調整金具を提供することを目的とする。
【課題を解決するための手段】
【０００７】
本発明に係る角度調整金具は、非円形の貫通孔を有する円盤体を揺動軸心廻りに回転自在に保持した第１部材と、上記貫通孔に軸心方向のいずれからでも差込可能な非円形状軸部を突設した第２部材とを、備え、上記軸部を上記貫通孔に差し込んで上記第１部材と上記第２部材とを相対的揺動可能に枢結し、かつ、上記円盤体の外周縁部にギア部が形成され、一面側が上記ギア部に噛合可能な歯面とされ他面側が上記第１部材側に形成されたくさび面に当接する当接面とされた浮動くさび部材を備え、上記当接面が上記くさび面に当接すると共に上記歯面と上記ギア部が噛合する噛合状態では、上記第１部材と上記第２部材が相対的に一方向へ揺動するのを抑制し、かつ、上記第１部材と上記第２部材を相対的に他方向に揺動させてロック解除位置とすることにより、上記浮動くさび部材を移動させて上記ギア部から離間させ該ギア部と上記歯面の噛合を解除した退避状態とし、該退避状態下で、上記第１部材と上記第２部材が相対的に一方向へ揺動可能となるように構成された角度調整金具に於て、上記第１部材と上記第２部材を上記ロック解除位置から相対的に上記一方向へ揺動させるフリー揺動の途中に於て、他方向への所定の小角度の引返し動作によって、上記浮動くさび部材を上記退避状態から上記ギア部との噛合状態に復帰させる復帰手段を具備したものである。
【０００８】
また、上記第１部材は、上記円盤体を挟み込んで保持する一対の対面板部を備え、上記復帰手段は、上記対面板部に対して上記所定の小角度の範囲で回動する環状部材と、一端が上記環状部材に連動連結され中間部を支点として所定の角度範囲で揺動自在であると共に他端が上記退避状態の上記浮動くさび部材に押圧可能に配設された揺動部材と、上記軸部が嵌着される非円形の嵌着孔を有し上記軸部と一体回転すると共に上記環状部材をアキシャル内方向に弾発付勢しつつ摺接する弾性部を有する圧接摩擦部材とを、具備し、上記退避状態下で、上記第１部材と上記第２部材の一方向へのフリー揺動中は、上記浮動くさび部材は上記退避状態を維持し、かつ、上記他方向への引返し動作により、上記環状部材が上記弾性部との摩擦力によって上記所定の小角度だけ回動すると共に上記揺動部材が上記浮動くさび部材を移動させ上記ギア部と上記歯面を噛合状態とするように構成されているものである。
【発明の効果】
【０００９】
本発明の角度調整金具によれば、第１部材と第２部材をロック解除位置から（一方向に）フリー揺動させる途中の任意位置にて、（他方向に）少しだけ引き戻すことで、浮動くさび部材をギア部に確実に噛合させ、第１部材と第２部材をロック状態とできる。即ち、浮動くさび部材とギア部の噛合を解除した後、第１部材と第２部材が所定のロック復元位置を成す以前に、復帰手段によって浮動くさび部材とギア部の噛合を復元させて第１部材と第２部材の揺動を規制でき、かつ、その姿勢から角度調整を開始できる。従って、ソファーのレスト部を、最終起立姿勢（ロック解除位置）とした後、最終傾倒姿勢（ロック復元位置）とするまでの途中位置で、簡単な操作によりレスト部を中間傾斜姿勢として所望の傾斜角度で確実に保持できる。即ち、ソファーのレスト部のロック状態を復元できなくなるという前述の問題点を解消し、容易にレスト部の角度調整ができる。
【図面の簡単な説明】
【００１０】
【図１】本発明の実施の一形態を示した分解斜視図である。
【図２】組立完了前の半製品状態の斜視図である。
【図３】図２の断面図である。
【図４】組立使用状態の斜視図である。
【図５】図４の断面図である。
【図６】本発明の角度調整金具の断面図であり、（Ａ）は全体断面図であり、（Ｂ）は要部拡大断面図である。
【図７】本発明の角度調整金具の断面図であり、（Ａ）は全体断面図であり、（Ｂ）は要部拡大断面図である。
【図８】本発明の角度調整金具の断面図であり、（Ａ）は全体断面図であり、（Ｂ）は要部拡大断面図である。
【図９】本発明の角度調整金具の断面図であり、（Ａ）は全体断面図であり、（Ｂ）は要部拡大断面図である。
【図１０】本発明の角度調整金具の断面図であり、（Ａ）は全体断面図であり、（Ｂ）は要部拡大断面図である。
【図１１】本発明の角度調整金具の断面図であり、（Ａ）は全体断面図であり、（Ｂ）は要部拡大断面図である。
【図１２】本発明の角度調整金具の断面図であり、（Ａ）は全体断面図であり、（Ｂ）は要部拡大断面図である。
【図１３】ソファーを示した斜視図である。
【図１４】ソファーを示した斜視図である。
【図１５】弾性部を示す図であり、（Ａ）は正面図であり、（Ｂ）は未圧縮状態での断面側面図であり、（Ｃ）は圧縮状態での断面側面図である。
【発明を実施するための形態】
【００１１】
以下、実施の形態を示す図面に基づき本発明を詳説する。
本発明の角度調整金具は、例えば、図１３と図１４の斜視図に示すように、座部４７と背部４６を有するソファーＳの関節金具（連結金具）として使用される。図１３と図１４に示すソファーＳに於て、角度調整金具Ｚは、ヘッドレスト４８及び肘掛け４９（レスト部５０）の傾斜角度を調整できるようヘッドレスト４８と背部４６との連結部、及び、肘掛け４９とベース部４５との連結部に、複数個配設されている。なお、角度調整金具Ｚは、ソファー以外にも、リクライニング式のベッドにも使用可能である。
【００１２】
図１〜図５に示すように、本発明の角度調整金具は、非円形の貫通孔２３を有する円盤体１６を揺動軸心Ｃ廻りに回転自在に保持した第１部材１と、貫通孔２３に軸心方向のいずれからでも差込可能な非円形状軸部２０を突設した第２部材２とを、備え、軸部２０を貫通孔２３に差し込んで第１部材１と第２部材２とを相対的揺動可能に枢結している。円盤体１６の外周縁部には、ギア部４が形成され、一面側がギア部４に噛合可能な歯面７とされ他面側が第１部材１側に形成されたくさび面８に当接する当接面９とされた浮動くさび部材６を備えている。
第１部材１は、円盤体１６を挟み込んで保持する一対の対面板部１３，１３と、ソファーのレスト部５０（又は固定部材）に固着するための取付部１７とを、備えている。対面板部１３には、各々に、円形支持孔２１が貫設され、かつ、浮動くさび部材６を保持するくさび形空間を形成するための（くさび形の）窓部５が形成されている。さらに、対面板部１３は、外側面に、係止用小突起３３と、小径の枢支軸部２７とが、突設されている。（くさび形の）窓部５は、円弧状のくさび面８を有し、浮動くさび部材６をギア部４から離間させた状態として収納するための退避空間２５を形成している。
円盤体１６は、円形支持孔２１，２１に挿入可能な円形低突隆部２４，２４を、左右両側面に突設している。円盤体１６は、外周縁部の１／３〜１／４の範囲（中心角が９０°〜１２０°の範囲）にギア部４が形成され、ギア部４の始端部及び終端部の２箇所には、突起部（タイミング突起）２８，２８が形成されている。円盤体１６は、円形低突隆部２４，２４を円形支持孔２１，２１に挿入して一対の対面板部１３，１３に挟み込まれ、回転自在に枢着・保持されており、対面板部１３，１３は、相互に平行に配設されて、リベット４２，４２によって取付部１７に固着（鋲着）されている。
【００１３】
第２部材２は、ソファーの固定部材（又はレスト部５０）に固着するための取付部１８を有し、取付部１８の一端に非円形状の軸部２０を突設している。軸部２０は、雌ネジ孔４４を有している。取付部１７，１８には、ボルトやビスを通すための複数の小孔２９が形成されている。
浮動くさび部材６は、一対の対面板部１３，１３（窓部５，５）とギア部４によって形成されたくさび形空間に保持され、窓部５，５から両側端部が（左右に）突出するように構成されている。ところで、望ましくは、歯面７には、１３本〜２０本のギア歯を形成し、また、円盤体１６のギア部４には、４０本以上の（ピッチの小さな）ギア歯、より好ましくは４５本〜６５本のギア歯を形成する。従って、角度調整段数は４０段以上とすることができる。浮動くさび部材６の当接面９側（取付部１７側）には、浮動くさび部材６をギア部４に押し付ける方向に弾発付勢するためのばね（弾発）部材２６を備えている。
【００１４】
図６と図１２に示すように、浮動くさび部材６の当接面９がくさび面８に当接すると共に歯面７とギア部４が噛合する噛合状態では、第１部材１と第２部材２が相対的に一方向Ｂへ揺動するのを抑制（阻止）する。そして、図９に示すように、第１部材１と第２部材２を相対的に他方向Ａに揺動させてロック解除位置Ｐ０とすることにより、浮動くさび部材６を移動させてギア部４から離間させ、ギア部４と歯面７の噛合を解除した退避状態とする。図１０に示す退避状態下で、第１部材１と第２部材２が相対的に一方向Ｂへ揺動可能となるように構成されている。本発明に於て、退避状態下で第１部材１と第２部材２のロック（揺動規制）が解除され、第１部材１と第２部材２が（相対的に）一方向Ｂへ揺動することを、「フリー揺動（Ｍ１）」と呼ぶ。
【００１５】
本発明の角度調整金具は、第１部材１と第２部材２をロック解除位置Ｐ０から相対的に上記一方向Ｂへ揺動させるフリー揺動Ｍ１の途中に於て、図１１に示すように、他方向Ａへの所定の小角度θの引返し動作Ｍ２によって、浮動くさび部材６を退避状態からギア部４との噛合状態に復帰させる復帰手段１０を具備している。
【００１６】
復帰手段１０は、対面板部１３に対して所定の小角度θの範囲で回動する環状部材１２と、一端１１ａが環状部材１２に連動連結され中間部を支点として所定の角度範囲で揺動自在であると共に他端１１ｂが退避状態の浮動くさび部材６に押圧可能に配設された揺動部材１１と、軸部２０が嵌着される非円形の嵌着孔１９を有し軸部２０と一体回転すると共に環状部材１２をアキシャル内方向に弾発付勢しつつ摺接する弾性部１４を有する圧接摩擦部材１５とを、具備している。
図１０に示す退避状態下で、第１部材１と第２部材２の一方向Ｂへのフリー揺動Ｍ１中は、（揺動部材１１の他端１１ｂが浮動くさび部材６を押圧しない第１位置Ｖ１で保持されて）浮動くさび部材６は退避状態を維持する。図１１に示す他方向Ａへの引返し動作Ｍ２により、環状部材１２が弾性部１４との摩擦力によって所定の小角度θだけ回動すると共に揺動部材１１が（他端１１ｂにて浮動くさび部材６を押圧する第２位置Ｖ２に移行して）浮動くさび部材６を（退避空間２５から押し出すように）移動させギア部４と歯面７を噛合状態とするように構成されている。
【００１７】
図１に示すように、環状部材１２は、軸部２０を挿通するための円孔部２２を有する円環状に形成され、外周縁部に小突起３３に対応する係止用凹部３４と、円弧状切欠部３２とが形成されている。環状部材１２は、係止用凹部３４に小突起３３を移動可能に（遊びをもって）係着しており、揺動軸心Ｃを中心として所定の小角度θの範囲で回動可能である。
揺動部材１１は、略Ｖ字形状に形成された剛性の高い金属（又は樹脂）から成り、（短円柱状に形成された）一端１１ａが、円弧状切欠部３２に嵌込まれて環状部材１２に連動連結している。揺動部材１１は、中間部に枢支孔部３１が形成され枢支軸部２７が挿入されている。例えば、枢支軸部２７を支点としてシーソーのように揺動部材１１の一端１１ａを上下動させれば他端１１ｂが対応して反対に下上に動くように、対面板部１３（の外面側に）枢着されている。
【００１８】
図１５（Ａ）に示すように、弾性部１４は、円環状に形成され、一端面に複数の小凸部３７を突設している。弾性部１４は、弾性変形可能な樹脂（又は金属）から成り、他端面は環状部材１２に（後述の組立使用状態でアキシャル内方向に弾発付勢し）摺接する摺接面３９となる。
図１に於て、圧接摩擦部材１５は、円環状に形成され、弾性部１４の小凸部３７に対応して複数の小凹部３８が形成されている。弾性部１４は、複数の小凸部３７を小凹部３８に挿入して、圧接摩擦部材１５と一体に回転（共廻り）するように取付けられている。なお、弾性部１４は、圧接摩擦部材１５と一体に形成されるも好ましい。
図２、図３に示す半製品状態では、圧接摩擦部材１５，１５は、各環状部材１２の外側に配設され、弾性部１４が環状部材１２の外面に当接している。図１５（Ｂ）に示すように、弾性部１４は、未圧縮状態で、摺接面３９が円弧状である。圧接摩擦部材１５，１５は、カバー部材４０によって保持されている。カバー部材４０は、一対の（２分割状）樹脂製カバー半体４１，４１から成る。カバー半体４１，４１には、挿入ピンと挿入孔が夫々の組合せ対応位置に形成されている（図１参照）。カバー部材４０は、圧接摩擦部材１５，１５と、環状部材１２，１２及び揺動部材１１と、対面板部１３，１３及び円盤体１６及び浮動くさび部材６とを、被覆して、かつ、非常にコンパクトに収納している。
【００１９】
図４、図５に示す組立使用状態では、貫通孔２３及び嵌着孔１９に、第２部材２の軸部２０が嵌通され、雌ネジ孔４４にボルト４３を螺着して、第１部材１と第２部材２を挿通している。ボルト４３はワッシャ５１に挿通されている。圧接摩擦部材１５，１５は、ボルト４３の締付力によって圧縮されて弾性部１４，１４が弾性変形している。図１５（Ｃ）に示すように、弾性部１４は、圧縮状態で、摺接面３９が平坦面状となり環状部材１２に圧接している。即ち、圧接摩擦部材１５，１５は、弾性部１４，１４にて環状部材１２，１２をアキシャル内方向に弾発付勢している。
【００２０】
上述した本発明の角度調整金具の使用方法（作用）について説明する。
図６に示す噛合状態では、浮動くさび部材６の歯面７がギア部４に噛合し、かつ、当接面９がくさび面８に当接し、第１部材１と第２部材２が相対的に一方向Ｂへ揺動することを規制（阻止）する。以下、第２部材２はソファーの固定部材に取付けられ、（固定された）第２部材２に対して第１部材１を揺動させるものとして説明する。
次に、図７に示すように、第１部材１を他方向Ａに揺動させると、浮動くさび部材６は窓部５内で小移動し、当接面９がくさび面８から離れて僅かな隙間ｄを生じる。さらに第１部材１を他方向Ａに揺動させると、浮動くさび部材６の誘導勾配面３５が窓部５の段付部３６に乗り上げて、隙間ｄにより浮動くさび部材６の歯面７がギア部４から離れ、歯面７がギア部４をカチカチと音をたてて乗り越える。第２部材２に対し第１部材１を一方向Ｂへ揺動させようとしても、浮動くさび部材６のくさび作用により揺動が規制（阻止）され、第１部材１は姿勢を維持（固定保持）される。環状部材１２には、他方向Ａへの揺動の際に、弾性部１４（圧接摩擦部材１５）との摩擦力によって、対面板部１３に対して矢印Ｎ方向（図の反時計回り方向）に回転力が作用するが、（係止用）凹部３４に小突起３３が当接して環状部材１２は（対面板部１３に対して）係止されている。
【００２１】
図８のように、さらに第１部材１を他方向Ａに揺動させると、歯面７がギア部４を繰り返し乗り越えて、ギア部４が終端部に設けられた突起部２８が浮動くさび部材６に当接する。
図９に示すように、突起部２８が浮動くさび部材６に当接した状態で、第１部材１をさらに他方向Ａに揺動させ、ロック解除位置Ｐ０とすると、浮動くさび部材６は、突起部２８に押されて、退避空間２５に移動して収納され、歯面７がギア部４から離間する（退避状態となる）。この際、揺動部材１１は、他端１１ｂが浮動くさび部材６に押圧されて揺動する。これを、第１位置Ｖ１とする。揺動部材１１は、第１位置Ｖ１に揺動して、一端１１ａが環状部材１２を押し、環状部材１２は矢印Ｒ方向（図の時計回り方向）に小角度θだけ回動する。
退避状態下では、浮動くさび部材６が退避空間２５に収納されて、ギア部４と歯面７の噛合が解除されている。従って、一方向Ｂへのロック（揺動規制）が解除され、第１部材１は一方向Ｂへのフリー揺動が可能となる。
【００２２】
次に、図１０に示すように、第１部材１を一方向Ｂへフリー揺動Ｍ１する際、環状部材１２は、弾性部１４との摩擦力によって矢印Ｒ方向に回転力を受けているが、（係止用）凹部３４に小突起３３が当接して係止されている。即ち、第１部材１の一方向Ｂへのフリー揺動Ｍ１中は、揺動部材１１は、第１位置Ｖ１に保持されて、揺動することなく姿勢を保ち、浮動くさび部材６は退避状態を維持する。
【００２３】
図１１に於て、第１部材１の一方向Ｂへのフリー揺動Ｍ１の途中で、他方向Ａへ小角度θの引返し動作Ｍ２を行うと、環状部材１２は、弾性部１４との摩擦力によって矢印Ｎ方向（図の反時計回り方向）の回転力を受けて回動する。揺動部材１１は、回動する環状部材１２に一端１１ａが押されて揺動する。これを、第２位置Ｖ２とする。揺動部材１１は、他端１１ｂで浮動くさび部材６を押し出し、退避空間２５から移動させる。退避空間２５から押し出された浮動くさび部材６は、ばね部材２６によりギア部４に押し付けられ、歯面７がギア部４と噛合した噛合状態となる（ロック状態に復帰する）。
【００２４】
図１２では、浮動くさび部材６の歯面７がギア部４に噛合し、かつ、当接面９がくさび面８に当接した噛合状態となり、浮動くさび部材６のくさび作用が復元して、第１部材１の一方向Ｂへの揺動を阻止する。このように、第１部材１をロック解除位置Ｐ０から一方向Ｂへフリー揺動する途中の任意の位置で、簡単にロック状態を復元し、所望の中間傾斜位置で第１部材１の揺動を規制して姿勢を保持し、中間傾斜位置から他方向Ａへ揺動させて角度調整を開始する。
【００２５】
なお、本発明は、設計変更可能であって、例えば、（くさび形の）窓部５を有さずに、代りに、浮動くさび部材６の当接面９を押圧する板片状部材等を用いることも自由である。また、カバー部材４０のデザインや寸法を変更しても良い。
また、歯面７のギア歯、及び、ギア部４のギア歯の本数は、前述の本数よりも、さらに増加しても自由であり、場合によって、逆に、前述の本数よりも減少するも自由である。なお、ギア歯の形成は、各種の塑性（プレス）加工、あるいは、ダイキャスト加工、ローレット加工等、自由に選択可能である。
特に、揺動部材１１は、図１０から図１１へ環状部材１２が小角度θだけ（反時計方向へ）回動するのに伴って、浮動くさび部材６を逆方向（時計方向）へ移動させて退避状態から押し出す（連れ出す又は引き出す）作用を成すための連動部材であれば、種々、設計変更が自由である。
また、図例では、軸部２０は正六角柱状に形成され、貫通孔２３も、これに対応して正六角形状である。軸部２０と貫通孔２３は、相互に嵌め込み可能な非円形状であれば良く、種々の多角形状、あるいは、その他の形状とすることもできる。
【００２６】
以上のように、本発明に係る角度調整金具は、非円形の貫通孔２３を有する円盤体１６を揺動軸心Ｃ廻りに回転自在に保持した第１部材１と、貫通孔２３に軸心方向のいずれからでも差込可能な非円形状軸部２０を突設した第２部材２とを、備え、軸部２０を貫通孔２３に差し込んで第１部材１と第２部材２とを相対的揺動可能に枢結し、かつ、円盤体１６の外周縁部にギア部４が形成され、一面側がギア部４に噛合可能な歯面７とされ他面側が第１部材１側に形成されたくさび面８に当接する当接面９とされた浮動くさび部材６を備え、当接面９がくさび面８に当接すると共に歯面７とギア部４が噛合する噛合状態では、第１部材１と第２部材２が相対的に一方向Ｂへ揺動するのを抑制し、かつ、第１部材１と第２部材２を相対的に他方向Ａに揺動させてロック解除位置Ｐ０とすることにより、浮動くさび部材６を移動させてギア部４から離間させギア部４と歯面７の噛合を解除した退避状態とし、退避状態下で、第１部材１と第２部材２が相対的に一方向Ｂへ揺動可能となるように構成された角度調整金具に於て、第１部材１と第２部材２をロック解除位置Ｐ０から相対的に一方向Ｂへ揺動させるフリー揺動Ｍ１の途中に於て、他方向Ａへの所定の小角度θの引返し動作Ｍ２によって、浮動くさび部材６を退避状態からギア部４との噛合状態に復帰させる復帰手段１０を具備したので、第１部材１と第２部材２をロック解除位置Ｐ０から一方向Ｂにフリー揺動させる途中の任意位置にて、他方向Ａに少しだけ引き戻す簡単な操作によって、浮動くさび部材６をギア部４に確実に噛合させ、第１部材１と第２部材２をロック状態とできる。即ち、浮動くさび部材６とギア部４の噛合を解除した後、第１部材１と第２部材２が所定のロック復元位置を成す以前に、復帰手段１０によって浮動くさび部材６とギア部４の噛合を復元させて第１部材１と第２部材２の揺動を規制でき、かつ、その姿勢から角度調整を開始できる。従って、ソファーＳのレスト部５０を、最終起立姿勢（ロック解除位置）とした後、最終傾倒姿勢（ロック復元位置）とするまでの途中位置で、簡単な操作によりレスト部５０を中間傾斜姿勢として所望の傾斜角度で確実に保持できる。即ち、ソファーＳのレスト部５０のロック状態を復元できなくなるという不具合を解消し、容易にレスト部の角度調整ができる。
【００２７】
また、第１部材１は、円盤体１６を挟み込んで保持する一対の対面板部１３，１３を備え、復帰手段１０は、対面板部１３に対して所定の小角度θの範囲で回動する環状部材１２と、一端１１ａが環状部材１２に連動連結され中間部を支点として所定の角度範囲で揺動自在であると共に他端１１ｂが退避状態の浮動くさび部材６に押圧可能に配設された揺動部材１１と、軸部２０が嵌着される非円形の嵌着孔１９を有し軸部２０と一体回転すると共に環状部材１２をアキシャル内方向に弾発付勢しつつ摺接する弾性部１４を有する圧接摩擦部材１５とを、具備し、退避状態下で、第１部材１と第２部材２の一方向Ｂへのフリー揺動Ｍ１中は、浮動くさび部材６は退避状態を維持し、かつ、他方向Ａへの引返し動作Ｍ２により、環状部材１２が弾性部１４との摩擦力によって所定の小角度θだけ回動すると共に揺動部材１１が浮動くさび部材６を移動させギア部４と歯面７を噛合状態とするように構成されているので、カバー部材４０の内部に収納されて、コンパクトであり、なおかつ、一方向Ｂへのフリー揺動Ｍ１中は、誤動作を起すことなく浮動くさび部材６が退避状態を維持でき、折畳み方向Ａへの引返し動作Ｍ２によって、浮動くさび部材６を確実に移動させてギア部４と歯面７を噛合状態とできる。
【符号の説明】
【００２８】
１  第１部材
２  第２部材
４  ギア部
６  浮動くさび部材
７  歯面
８  くさび面
９  当接面
１０  復帰手段
１１  揺動部材
１１ａ  一端
１１ｂ  他端
１２  環状部材
１３  対面板部
１４  弾性部
１５  圧接摩擦部材
１６  円盤体
１９  嵌着孔
２０  軸部
２３  貫通孔
Ａ  他方向
Ｂ  一方向
Ｃ  揺動軸心
Ｐ０  ロック解除位置
Ｍ１  フリー揺動
θ  小角度
Ｍ２  引返し動作
【要約】      （修正有）【課題】第１部材と第２部材をロック解除位置からフリー揺動する途中の任意の位置で簡単にロック状態を復元し、所望の中間位置から角度調整を行って姿勢を保持し得る角度調整金具を提供する。【解決手段】第１部材１と、第２部材２とを、備え、軸部２０を貫通孔２３に差し込んで第１部材１と第２部材２とを相対的揺動可能に枢結し、かつ、円盤体１６の外周縁部にギア部４が形成され、当接面９がくさび面８に当接すると共に歯面７とギア部４が噛合する噛合状態では、第１部材１と第２部材２が相対的に一方向Ｂへ揺動するのを抑制し、かつ、第１部材１と第２部材２を相対的に他方向Ａに揺動させてロック解除位置とすることにより、浮動くさび部材６を移動させてギア部４から離間させギア部４と歯面７の噛合を解除した退避状態とし、小角度の引返し動作によって、浮動くさび部材６を退避状態からギア部４との噛合状態に復帰させる復帰手段を具備している。【選択図】図１０【図１】
0005611416.tif 000002
【図２】
0005611416.tif 000003
【図３】
0005611416.tif 000004
【図４】
0005611416.tif 000005
【図５】
0005611416.tif 000006
【図６】
0005611416.tif 000007
【図７】
0005611416.tif 000008
【図８】
0005611416.tif 000009
【図９】
0005611416.tif 000010
【図１０】
0005611416.tif 000011
【図１１】
0005611416.tif 000012
【図１２】
0005611416.tif 000013
【図１３】
0005611416.tif 000014
【図１４】
0005611416.tif 000015
【図１５】
0005611416.tif 000016